(57)【要約】【課題】車から宅内のセキュリテイ機器の状態を確認し、簡易に制御することができない。【解決手段】建物のセキュリテイ機器５と、セキュリテイ機器５の状態を記憶する記憶手段６と、セキュリテイ機器を制御するための無線通信手段７と、セキュリテイ機器５のデータを使用者の車１２とのネットワークを可能とするための情報通信手段９、１３と、これらを制御する制御手段１０、１４で構成し、車１２のナビゲーション表示する表示手段１５で宅内のセキュリテイ機器の状態を表示・制御する。【選択図】図１
2005130080.tif 000002
【特許請求の範囲】
【請求項１】
建物のセキュリテイ機器と、前記セキュリテイ機器のデータを記憶する記憶手段と、前記セキュリテイ機器と通信して遠隔制御するための無線通信手段と、前記セキュリテイ機器を外部とのネットワークを可能とするための情報通信手段と、前記記憶手段、セキュリテイ機器、無線通信手段、前記情報通信手段からの情報を送受、制御する制御手段で構成された装置に対して、前記装置の情報通信手段とのネットワークを可能とするための情報通信手段と、この情報通信手段を制御する制御手段と、ナビゲーション機能を有する表示手段とを備えた車で、前記表示手段に前記セキュリテイ機器のデータを表示する構成とした通信システム。
【請求項２】
車の表示手段においてはナビゲーション表示とのセキュリテイ機器の切替えの操作を可能とした請求項１記載の通信システム。
【請求項３】
使用者宅に接近または離れた時の位置情報手段によりナビゲーションの表示手段にセキュリテイ機器のデータを表示する構成とした請求項１または２記載の通信システム。
【発明の詳細な説明】
【技術分野】
【０００１】
本発明は、通信システムに関し、特に車から宅内に設置されたセキュリテイ機器の制御に関するものである。
【背景技術】
【０００２】
従来のこの種の見守り安心システムは図５に示すように玄関先等から操作スイッチ１で各種センサ群２〜４であるガス漏れ、火災、防犯カメラを動作確認するように構成されている（例えば、特許文献１参照）。
【０００３】
そして上記、操作スイッチ１は玄関の外にも同様の操作スイッチが配設され、その指令により各種センサ群と通信を行い動作が確認できるようになっていた。
【特許文献１】特開平０６−５２４８１号公報
【発明の開示】
【発明が解決しようとする課題】
【０００４】
しかしながら上記従来の通信システムにおいて、車が今日普及している中で、車から宅内のセキュリテイ機器の制御を行いたいニーズがでてきた。携帯電話での宅外からの制御は、可能であるが車を運転中での携帯電話の制御は、安全運転上できないので車からの宅外の制御はおのずと制限が生じる課題があった。
【課題を解決するための手段】
【０００５】
本発明は上記課題を解決するため、建物のセキュリテイ機器と、前記セキュリテイ機器のデータを記憶する記憶手段と、前記セキュリテイ機器と通信して遠隔制御するための無線通信手段と、前記セキュリテイ機器を外部とのネットワークを可能とするための情報通信手段と、前記記憶手段、セキュリテイ機器、無線通信手段、前記情報通信手段からの情報を送受、制御する制御手段で構成された装置に対して、前記装置の情報通信手段とのネットワークを可能とするための情報通信手段と、この情報通信手段を制御する制御手段と、ナビゲーション機能を有する表示手段とを備えた車で、前記表示手段に前記セキュリテイ機器のデータを表示する構成としたものである。
【０００６】
上記発明によれば、車での外出中でも宅内へのセキュリテイ機器制御やモニターが遠隔で可能となる。
【発明の効果】
【０００７】
本発明の通信システムは、建物のセキュリテイ機器と、前記セキュリテイ機器のデータを記憶する記憶手段と、前記セキュリテイ機器と通信して遠隔制御するための無線通信手段と、前記セキュリテイ機器を外部とのネットワークを可能とするための情報通信手段と、前記記憶手段、セキュリテイ機器、無線通信手段、前記情報通信手段からの情報を送受、制御する制御手段で構成された装置に対して、前記装置の情報通信手段とのネットワークを可能とするための情報通信手段と、この情報通信手段を制御する制御手段と、ナビゲーション機能を有する表示手段とを備えた車で、前記表示手段に前記セキュリテイ機器のデータを表示する構成とし、表示手段にセキュリテイ機器のデータを表示するので、車の中にいながら宅内のセキュリテイ機器の情報が得られ、運転中でも簡単に制御が可能となる効果がある。
【発明を実施するための最良の形態】
【０００８】
本発明の第１の発明にかかる通信システムは、建物のセキュリテイ機器と、前記セキュリテイ機器のデータを記憶する記憶手段と、前記セキュリテイ機器と通信して遠隔制御するための無線通信手段と、前記セキュリテイ機器を外部とのネットワークを可能とするための情報通信手段と、前記記憶手段、セキュリテイ機器、無線通信手段、前記情報通信手段からの情報を送受、制御する制御手段で構成された装置に対して、前記装置の情報通信手段とのネットワークを可能とするための情報通信手段と、この情報通信手段を制御する制御手段と、ナビゲーション機能を有する表示手段とを備えた車で、前記表示手段に前記セキュリテイ機器のデータを表示する構成としたものである。
【０００９】
そして、制御手段は、外部と接続している情報通信手段からのアクセス(例えば使用者の車)によって、記憶手段に登録されたセキュリテイ機器の制御状態を返信する。そして、車からの制御指令の基づいて制御手段からセキュリテイ機器へ無線通信手段によってデータの伝送を行なう。
【００１０】
上記発明によれば、車からの遠隔制御、セキュリテイ機器のモニターが可能となる。
【００１１】
本発明の第２の発明にかかる通信システムは、車の表示手段においてはナビゲーション表示とセキュリテイ機器の制御状態の切替えの操作を可能とする構成を有する。
【００１２】
そして、表示手段の画面上に表示された制御指令により、表示手段にセキュリテイ機器の状態を表示することができる。表示されたセキュリテイ機器の状態とナビゲーションを切替えることでいつでも宅内のセキュリテイ機器の様子を確認できる効果がある。
【００１３】
本発明の第３の発明にかかる通信システムは、位置情報手段を有し、使用者宅に接近または離れた時、ナビゲーションの表示手段にセキュリテイ機器の制御状態を表示する構成を有する。
【００１４】
そして、使用者宅から車が離れた時にはナビゲーションからセキュリテイ機器の状態が自動的に切り替るので、外出したあとの戸締りなど家のセキュリテイ機器の様子を再確認でき、使用者の不安を取り除く効果がある。また使用者宅に接近する時にはナビゲーションから機器の状態が切り替るので、留守中に異常報知がなかったか否かなどセキュリティ機器の様子を確認でき、異常が事前にわかれば警察などへ事前に通報できる、異常がなければ安心して帰宅・入室することができる効果がある。
【００１５】
（実施の形態１）
図１は本発明の第１の実施の形態における通信システムを説明する構成図である。
【００１６】
図１において、５は建物のセキュリテイ機器、６はセキュリテイ機器情報を記憶する記憶手段、７はセキュリテイ機器と通信して遠隔制御するための無線通信手段、８は外部と通信するためのネットワーク網、９はネットワークを介してデータ通信するための情報通信手段、１０は記憶手段６、セキュリテイ機器５、無線通信手段７、情報通信手段９からの情報を送受、制御する制御手段（宅内側と呼ぶ）、１１はセキュリテイ機器５、記憶手段６、無線通信手段７、情報通信手段９、制御手段１０で構成された装置である。１２は車、１３は車側に搭載され、外部ネットワーク網と接続し通信する情報通信手段、１４は車側に搭載され、車の内部の様々な制御を行う制御手段、１５は地図などを表示しナビゲーション機能を表示するために表示手段である。
【００１７】
次に動作、作用について説明すると、宅内側の制御手段１０は、車からの情報通信手段１３からのアクセスによって、記憶手段６に登録されたセキュリテイ機器５の制御状態を返信する。そして、車１２からの制御指令の基づいて制御手段１０からセキュリテイ機器へ無線通信手段によってセキュリテイ機器５の制御が行われる。その結果は記憶手段６に再度記憶される。また、セキュリテイ機器５と制御手段１０の間は、８０２．１１ｘ等のプロトコルによる無線通信手段７によってデータの伝送を行なうこともできる。
【００１８】
そして、外部ネットワーク８と接続された情報通信手段９へデータを送信し,車のナビゲーション機能を有する表示手段１５に表示するものである。
【００１９】
（実施の形態２）
図２、図３は本発明の第２の実施の形態の通信システムにおいて、車のナビゲーション表示をする表示手段１５での宅内のセキュリテイ機器５の状態表示例を示す図である。
【００２０】
図２において、車の表示手段１５に表示されているの宅内のセキュリテイ機器アイコンをタッチするとその指令は、車からの情報通信手段１３、制御手段１４を介して宅内の制御手段１０へセキュリテイ機器５の状態を要求する。そして、セキュリテイ機器５の状態はネットワーク網8を介して車の方へ転送され、ナビゲーション表示されているところへ割り込む形で表示手段１５に図２ｂのように表示される。
【００２１】
図３の場合、セキュリテイ機器５である電子錠は閉の状態であるから、開にしたい場合は、電子錠開の方のアイコンにタッチすれば、その指令が車からの情報通信手段１３からネットワーク網8を介して宅内のセキュリテイ機器５である電子錠に指令がいき電子錠は開動作するものである。
【００２２】
なお、宅外から制御され宅内に登録されているセキュリテイ機器は、車と宅内との通信により表示手段１５上にそのアイコンは自動的に表示される。
【００２３】
また、その表示の方法は、ナビゲーション表示と並列でもかまわないし、単独表示でもよく本発明の実施例に限定しない。また、ナビゲーション表示に切換えたい時は、表示手段１５の解除ボタンにタッチすれば、再びナビゲーション表示にもどるものである。このようにして,車の中から,宅内とネットワークを結ぶ事によって家の中のセキュリテイ機器の様子を制御することも確認する事もできる。
【００２４】
（実施の形態３）
図４は本発明の第３の実施の形態における通信システムを説明する構成図である。なお、第１の実施の形態と同一符号のものは同一構造を有し、説明は省略する。１６は位置情報手段であり、ナビゲーションに登録される使用者の自宅の位置情報が記憶される。車を運転し、外出した後、家からある程度離れた時、自動的にナビゲーションの表示手段にセキュリテイ機器のデータを表示するものである。表示するためのトリガは位置情報手段１６の自宅との距離の関係から決定され、そのパラメーター設定はナビゲーション側で、使用者が決定できるしくみを入れても良い。緯度経度や、使用者が予め登録しておく地点を通過したことを検出してトリガするなど、トリガの方法は限定しない。
【００２５】
そして、使用者宅から車が離れた時にはナビゲーションからセキュリテイ機器の状態が自動的に切り替るので、外出したあとの戸締りなど家のセキュリテイ機器の様子を再確認でき、使用者の不安を取り除く効果がある。また使用者宅に接近する時にはナビゲーションから機器の状態が切り替るので、留守中に異常報知がなかったか否かなどセキュリティ機器の様子を確認でき、異常が事前にわかれば警察などへ事前に通報できる、異常がなければ安心して帰宅・入室することができる効果がある。
【産業上の利用可能性】
【００２６】
以上のように本発明にかかる通信システムは、宅内のセキュリテイ機器が車からの遠隔で制御が可能で、しかもセキュリテイ機器の状態が確認できるので自動車関係のナビゲーション機能の拡大が可能である。
【図面の簡単な説明】
【００２７】
【図１】本発明の実施の形態１における通信システムの構成図
【図２】本発明の実施の形態２における表示手段の表示例を示す図
【図３】本発明の実施の形態２における表示手段の表示例を示す図
【図４】本発明の実施の形態２における通信システムの構成図
【図５】従来の通信システムの構成図
【符号の説明】
【００２８】
５  セキュリテイ機器
６  記憶手段
７  無線通信手段
８  ネットワーク網
９、１３  情報通信手段
１０、１４  制御手段
１５  表示手段
１６  位置情報手段
【図１】
2005130080.tif 000003
【図２】
2005130080.tif 000004
【図３】
2005130080.tif 000005
【図４】
2005130080.tif 000006
【図５】
2005130080.tif 000007